(57)【要約】【課題】電動機出力を低下させることなく、軽量化が可能となる電動機を提供することを目的とする。【解決手段】３相巻線１４Ｕ、１４Ｖ、１４Ｗを施してなる固定子１０と、固定子１０の内周に僅かな空隙を介して対向し、回転自在に保持され、回転子鉄心２１の内部または表面に永久磁石２２を設けてなる回転子２０とを有しする電動機において、回転子鉄心２１の永久磁石２２の中央部の内径側にｗ２≧ｗ１となる台形状の貫通孔を設けた電動機としたものである。これにより、磁束線の流れを妨げることなく、貫通孔の面積を拡大し、高出力かつ軽量の電動機とすることができる。【選択図】  図１
2005020855.tif 000002
【特許請求の範囲】
【請求項１】
環状のヨークと、前記ヨークの内周部に配置された複数のティースとを有し複数の前記ティース間にスロットが設けられた固定子鉄心と、前記固定子鉄心の前記ティースに３相巻線を施してなる固定子と、前記固定子の内周に僅かな空隙を介して対向し回転自在に保持され、回転子鉄心の内部または表面に永久磁石を設けてなる回転子により構成される電動機において、前記回転子鉄心の永久磁石の中央部の内径側に多角形状の貫通孔を設けたことを特徴とする電動機。
【請求項２】
多角形状の貫通孔の形状が四角形であって、永久磁石に隣接する前記四角形の一返の長さｗ１と、これに対向する一辺の長さｗ２の関係が、ｗ２≧ｗ１であることを特徴とする請求項１に記載の電動機。
【発明の詳細な説明】
【０００１】
【発明の属する技術分野】
本発明は、例えば、密閉型圧縮機、冷凍機器（冷蔵庫、冷凍庫、製氷機、ショーケース、自販機）、空気調和機（エアーコンディショナー、除湿機）もしくは電子回路冷却システムまたはカーアクチュエータ等に搭載される電動機に係るものである。
【０００２】
【従来の技術】
従来、一般にエアーコンディショナーや冷蔵庫の圧縮機等に使用される電動機は、図３に示すように固定子４０と回転子５０から構成されている。
【０００３】
固定子４０は、固定子鉄心４１に設けられたティース４２と、スロット４３を有する。ティース４２には、固定子鉄心４１との間に絶縁物（絶縁フィルム、インシュレータ等：図示せず）を介して直接３相巻線４４Ｕ、４４Ｖ、４４Ｗが施されている。
【０００４】
また、固定子鉄心４１は、回転子５０の外周に面し、各ティース間を連結する略環状のヨーク４５を有する。
【０００５】
巻線は、Ｕ、Ｖ、Ｗ相の３相であり、インバータで印可電圧を制御することで、正弦波駆動や矩形波駆動を行う。
【０００６】
また、回転子５０は、固定子４０の内側に、固定子４０と同心円状に、回転自在に保持されており、図３における回転子鉄心５１は、永久磁石５２が埋設されている埋め込み磁石型回転子を示している。
【０００７】
従来の回転子４０の構造は、回転子の永久磁石中央部の内径側に円形の貫通孔５３を設けたコア形状であった（例えば、特許文献１参照。）。
【０００８】
また、図４に示すように、回転子６０の永久磁石６２に内径側に扇形状の貫通孔６３を設けたコア形状であった（例えば、特許文献２参照。）。
【０００９】
【特許文献１】
特開２０００−１７５３８９号公報（第３図）
【特許文献２】
特開２００１−１６９５１９号公報（第４図）
【００１０】
【発明が解決しようとする課題】
しかしながら、永久磁石の内側に円形の貫通孔を設けるコア形状では、コアの打ち抜き面積が小さいため、十分な軽量化が行えない。また、永久磁石の内側に扇形形状の貫通孔を設けたコア形状では、永久磁石内側の磁気抵抗が高くなるため、電動機出力が低下してしまう。
【００１１】
本発明は、電動機出力を低下させることなく、軽量化を有効に行うことができるコア形状を提供することを目的とする。
【００１２】
【課題を解決するための手段】
上記従来の課題を解決するために、本発明の電動機は、回転子鉄心の永久磁石の中央部の内径側に多角形状の貫通孔を設けた回転子を有する構成としたことを特徴とするものである。これにより、永久磁石の中央部の内径側に磁路を確保することが可能であるため電動機の出力が低下することがなく、かつ最大限に軽量化を実施することができる。
【００１３】
【発明の実施の形態】
本願の請求項１に係る発明は、環状のヨークと、前記ヨークの内周部に配置された複数のティースとを有し複数の前記ティース間にスロットが設けられた固定子鉄心と、前記固定子鉄心の前記ティースに３相巻線を施してなる固定子と、前記固定子の内周に僅かな空隙を介して対向し回転自在に保持され、回転子鉄心の内部または表面に永久磁石を設けてなる回転子により構成される電動機において、前記回転子鉄心の永久磁石の中央部の内径側に多角形状の貫通孔を設けたことを特徴とする電動機である。
【００１４】
請求項２に係る発明は、多角形状の貫通孔の形状が四角形であって、永久磁石に隣接する前記四角形の一返の長さｗ１と、これに対向する一辺の長さｗ２の関係が、ｗ２≧ｗ１であることを特徴とする請求項１に記載の電動機である。
【００１５】
【実施例】
以下、本願発明の電動機について図面を用いて説明する。
【００１６】
図１に示す電動機は、環状のヨーク１５と前記ヨークの内周部に配置された複数のティース１２とを有し、複数の前記ティース間にスロット１３が設けられた固定子鉄心１１の前記ティースに３相集中巻線１４Ｕ、１４Ｖ、１４Ｗを施してなる固定子１０と、固定子１０の内周に僅かな空隙を介して対向し、回転自在に保持され、回転子鉄心２１の内部あるいは表面に永久磁石２２を設けてなる回転子２０により構成されている。
【００１７】
図１に示すように永久磁石２２の中央部の内径側には台形状の貫通孔２３が設けられており、台形状の貫通孔２３の永久磁石に隣接する一返の長さｗ１と、これに対向する一辺の長さｗ２は、ｗ２≧ｗ１の関係を満たす形状に形成されている。なお、ｗ２＝ｗ１となるとき貫通孔の形状は長方形（正方形含む）となることは当然である。
【００１８】
図２に示すように、磁束線３０は隣接する異極の磁石間を結ぶため、永久磁石２２の中央部は磁束の流れの影響が少なく、さらに永久磁石２２の中央部では、軸２３側である内径側に近づくにつれ、磁束線の流れの影響が少なくなるため、ｗ２≧ｗ１となる形状に貫通孔を設けた場合においても、磁束の流れを妨げることがない。そんため、電動機出力を低下させることなく、円形の貫通孔に比べ面積を大きく確保することができるため、高出力かつ軽量である電動機を得ることができる。
【００１９】
【発明の効果】
以上のように、本願発明によれば、回転子の鉄心内部あるいは表面に設けた永久磁石の中央部の内径側にｗ２≧ｗ１となる四角形状の貫通孔を設けることで、高出力かつ軽量である電動機を得ることができる。
【図面の簡単な説明】
【図１】本発明の一実施例である電動機の断面図
【図２】本発明の一実施例である電動機における永久磁石内径側の磁束線の流れを示す図
【図３】従来の電動機の断面図
【図４】従来の回転子の断面図
【符号の説明】
１０  固定子
１１  固定子鉄心
１２  ティース
１３  スロット
１４Ｕ、Ｖ、Ｗ  巻線
１５  ヨーク
２０  回転子
２１  回転子鉄心
２２  永久磁石
２３  貫通孔
２４  軸
３０  磁束線
【図１】
2005020855.tif 000003
【図２】
2005020855.tif 000004
【図３】
2005020855.tif 000005
【図４】
2005020855.tif 000006